(57)【要約】【課題】  ロック解除部材がバランスよく、しかも小さな抵抗でスムーズに上下動可能とした組立式合成樹脂製容器を提供せんとするものである。【解決手段】  一方の対向する一対の側板の両端部に、側板を切り抜いて設けたプレートの先端に、他方の対向する一対の側板に装着されたロック解除部材の押圧用突部を受け入れる受け部と前記係合部と係合する係合片を設けたロックレバーと、他方の対向する一対の側板に設けた係合部を設けてなり、ロック解除部材は、略中央部に指掛け用凹部を設け、前記指掛け用凹部の近傍に係止部または係止用突起を形成し、両端部に係止用突起または係止部を形成するとともに、下面にバネを突設してなり、前記ロック解除部材を一対の側板の上部に上下動可能に組み立てたことを特徴とする。【選択図】        図１
2006096401.tif 000002
【特許請求の範囲】
【請求項１】
平面方形状の底板と、前記底板の側端縁に沿って折曲自在に連結された４つの側板とからなり、前記各側板はそれぞれ対向する側板を対にして内側に折り畳むことができる組立式合成樹脂製容器であって、一方の対向する一対の側板の両端部に設けたロックレバーと他方の対向する一対の側板に設けた係合部とからなるロック部を設けてなり、前記ロックレバーは、三辺を切り抜いて一辺を側板と一体に設けたプレートの先端に、他方の対向する一対の側板に装着されたロック解除部材の押圧用突部を受け入れる受け部と前記係合部と係合する係合片を有しており、ロック解除部材は、略中央部に指掛け用凹部を設け、前記指掛け用凹部の近傍に係止部または係止用突起を形成し、両端部に係止用突起または係止部を形成するとともに、下面にバネを突設してなり、ロック解除部材が組み立てられる側板には、ロック解除部材の指掛け用凹部の近傍に設けた係止部または係止用突起と係合する係止用突起または係止部を設け、ロック解除部材の両端部に設けた係止用突起または係止部と係合する係止部または係止用突起を設けてなり、前記係止部と係止用突起とを係合することによりロック解除部材を一対の側板の上部に上下動可能に組み立てたことを特徴とする組立式合成樹脂製容器。
【請求項２】
ロック解除部材の指掛け用凹部の近傍に設けた係止部または係止用突起のスライド隙間を、両端部に設けた係止用突起または係止部のスライド隙間よりも小さく形成したことを特徴とする請求項１に記載の組立式合成樹脂製容器。
【請求項３】
ロック解除部材の下面のバネを、指掛け用凹部の近傍に設けた係止部または係止用突起と両端部に設けた係止用突起または係止部との間に設けたことを特徴とする請求項１又は請求項２に記載の組立式合成樹脂製容器。
【発明の詳細な説明】
【技術分野】
【０００１】
この発明は、底板に折曲部又は回動軸を介して側板が配設されており、折り畳み状態から簡単に組み立てられ、また簡単に折り畳むことができる組立自在箱に係り、詳しくは方形状の底板の各側端縁に折曲部又は回動軸を介して連設した側板を、底板に向かって内方に折り畳み、コンパクトに折り畳んで保管及び運搬することができる組立自在な合成樹脂製容器に関するものである。
【背景技術】
【０００２】
従来、野菜、果物等農産物や各種の工業製品を輸送するために組立式の合成樹脂製容器が使用されている。合成樹脂製容器は、耐久性に優れており繰り返して使用することができるとともに、近年提起されている省資源の点からもダンボール箱に代わって多用されている。このような組立式容器として次のような容器がある。
【０００３】
特開２００３−１６５５３６号公報に開示された容器は、折り畳み状態から最初に立てられる側壁には、後から立てられる側壁が当接可能な係止弾性片を形成するとともに、後から立てられる側壁の外壁面に形成されたロック解除部材収納領域の左右領域には、それぞれ前記係止弾性片を押圧するロック解除本体と操作部を有するロック解除操作体とからなるロック解除部材を前記操作部が相対するように配設し、前記ロック解除部材の操作部を、互いに、接近する方向に移動させることにより、ワンタッチ操作により最初に立てられる側壁と後から立てられる側壁とのロック状態を解除するようにしたものがある。
【０００４】
即ち、ロック解除操作体を水平移動させることによって係止弾性片を押圧し、係止弾性片を外方に押し広げ、後から立てられる側壁に設けられた張り出し枠とのロック状態を解除するようにしたものである。従って、側壁を立てて組み立てると同時にロック状態となり、容易に組み立てられるとともに、ロック解除作業の作業性も向上する。
【０００５】
また、組立構造の容器としては、特開２００３−４０２６３号公報に開示された容器がある。即ち、第一側壁の外側面には略中央部に操作部を備えるとともに両端部に係合突起が設けられた係合部材を添設し、第二側壁の両端部には、前記係合突起と係合して第一側壁の内方への回動を規制する係合部を設け、前記係合部材の操作部を上動または下動させることにより、係合突起と係合部との係合状態を解除するようにした組立式構造の容器である。このような容器は、側壁を起立させて組み立てると同時に係合状態となり、組立作業を容易に行うことができる。また、不使用時には、係合部材の操作部を上動又は下動させるだけで係合状態が解除されるから、折り畳み作業を容易に行うことができる。
【特許文献１】特開２００３−１６５５３６号公報（図９及び図１５）
【特許文献２】特開２００３−４０２６３号公報（図１〜図４）
【発明の開示】
【発明が解決しようとする課題】
【０００６】
上記特開２００３−１６５５３６号公報記載の容器は、ロック解除部材が複数の部品から構成されており、構造が複雑であるばかりでなく組み立てに手間がかかる。また、側壁への組み立ても自動化ができず、手作業で組み立てなければならない。また、ロック解除部材を指で挟んで操作するために、指に強い力を加えなければならず操作が困難である。また、係止弾性片の突起を大きくすると、ロック解除部材をそれだけ大きくスライドさせなければならず、係止弾性片の突起を小さくすると、安全なロック状態が得られなくなるという問題がある。
【０００７】
また、特開２００３−４０２６３号公報記載の容器においても、係合部材の構造が複雑で、側壁への組み立ては自動化ができない。また、係合部材は上動又は下動させるだけでよいが、操作する際に両端の係合突起の動きが均等にならず、係合状態をスムーズに解除することができないという問題がある。
【０００８】
この発明はかかる現況に鑑みてなされたもので、ロック解除部材を簡単な構造として、側板への組み立てを自動化できるようにすると共に、スムーズな操作ができるロック構造として作業性に優れた組立式合成樹脂製容器を提供せんとするものである。
【課題を解決するための手段】
【０００９】
この発明は上記目的を達成するために次のような構成とした。即ち、この発明に係る組立式合成樹脂製容器は、平面方形状の底板と、前記底板の側端縁に沿って折曲自在に連結された４つの側板とからなり、前記各側板はそれぞれ対向する側板を対にして内側に折り畳むことができる組立式合成樹脂製容器であって、一方の対向する一対の側板の両端部に設けたロックレバーと他方の対向する一対の側板に設けた係合部とからなるロック部を設けてなり、前記ロックレバーは、三辺を切り抜いて一辺を側板と一体に設けたプレートの先端に、他方の対向する一対の側板に装着されたロック解除部材の押圧用突部を受け入れる受け部と前記係合部と係合する係合片を有しており、ロック解除部材は、略中央部に指掛け用凹部を設け、前記指掛け用凹部の近傍に係止部または係止用突起を形成し、両端部に係止用突起または係止部を形成するとともに、下面にバネを突設してなり、ロック解除部材が組み立てられる側板には、ロック解除部材の指掛け用凹部の近傍に設けた係止部または係止用突起と係合する係止用突起または係止部を設け、ロック解除部材の両端部に設けた係止用突起または係止部と係合する係止部または係止用突起を設けてなり、前記係止部と係止用突起とを係合することによりロック解除部材を一対の側板の上部に上下動可能に組み立てたことを特徴とする。
【００１０】
また、ロック解除部材の指掛け用凹部の近傍に設けた係止部または係止用突起のスライド隙間は、両端部に設けた係止用突起をまたは係止部のスライド隙間よりも小さく形成することが好ましい。このように、スライドの隙間を外側の方を大きくすることによって、ロック解除部材が傾いたときの抵抗が小さくなりスムーズに上下動させることができる。また、ロック解除部材の下面のバネは、指掛け用凹部の近傍に設けた係止部または係止用突起と両端部に設けた係止用突起または係止部との間に設けることが好ましい。このように構成することによって、バランスよく上下動させることができる。
【発明の効果】
【００１１】
この発明は、上記説明から明らかなように、ロック解除部材と側板とは機械によって自動的に組み立てることができ、組み立て工数と費用の削減を図ることができる。また、スライド機構をロック解除部材の中央部と両端部に設けることによって、下動させるときの抵抗が小さくスムーズに操作できると共に、ロック解除部材の左右の係合部が均等にバランスよく上下動するので容器としての組立作業と折り畳み作業が容易である。
【発明を実施するための最良の形態】
【００１２】
この発明に係る組立式合成樹脂製容器を、図示する実施形態に基づいて詳細に説明する。組立式合成樹脂製容器１０は、方形状の底板１１と前記底板１１の端縁部に沿って配設された４つの側板１３〜１６からなる。前記４つの側板のうち、側板１３，１４は対向する短辺側の側板を形成し、側板１５，１６は、対向する長辺側の側板を形成している。前記側板１３，１４及び側板１５，１６は、底板１１の端縁部に設けられた回動軸１８，１９によってそれぞれ回動自在に軸着している。
【００１３】
また、前記側板１３，１４及び側板１５，１６は、いずれか一方側の対になっている側板を先に内側に折り畳み、他方の対になっている側板を後から折り畳まれるが、後から折り畳む側板をほぼ水平に折り畳むことができるように、後から折り畳む側板の回動軸の位置を、先に折り畳まれる側板の回動軸よりも高い位置に配設されている。即ち、後から折り畳む側板の回動軸は、高さ調整部２０の上に配設されている。図示する実施形態では、先に折り畳まれる側板を短辺側の側板１３，１４とし、後から折り畳まれる側板を長辺側の側板１５，１６としている。短辺側の側板１３，１４の上部略中央には容器１０を持ち運ぶ際に指を挿入する取っ手孔２１が設けられている。
【００１４】
後から折り畳まれる長辺側の側板１５，１６の両端部には、図１及び図１３に示すように、側板に対して直交するように内側に突出した突出部１５ａ，１６ａが設けられている。この突出部１５ａ，１６ａの内面に短辺側の側板１３，１４の両端部外面が接合することによって、側板１３，１４が外側へ回動するのを防止するとともに、後述するように、側板１３，１４が内側に倒れるのを防止するようにロック部が設けられている。従って、前記突出部１５ａ，１６ａによって組立状態が確実に保持される。
【００１５】
前記側板１３，１４及び側板１５，１６は、底板１１に対して回動可能に軸着されており、まず、前記側板１３，１４を内側に向かって底板１１の上に折り畳むことができる。図示する実施形態では、まず、短辺側の側板１３，１４を折り畳んだ後、長辺側の側板１５，１６を折り畳むように構成されており、最終の折り畳み状態は、全体がほぼ水平な板状態となる（図示省略）。前記構成の容器１０は、折り畳み状態から長辺側の側板１５，１６を回動軸１９を支点にして起立させ、次いで、短辺側の側板１３，１４を起立させれば、それぞれ接合する面に設けたロック部２３によってロックされ、組立状態とすることができる。
【００１６】
次に、前記ロック部２３と前記ロック部２３のロック状態を解除するロック解除部材２４の構成について説明する。この発明の特徴は、前記側板１３，１４にロック解除部材２４を組み立てる際に自動化が可能であるとともに、ロック解除部材２４がスムーズに上下動してロックの解除作業が容易に行えるようにした点にある。まずロック部２３について説明すると、ロック部２３は、一対の長辺側の側板１５，１６の両側端部に設けられたロックレバー２５，２５と、一対の短辺側の側板１３，１４の両側端面に設けた係合部２７，２７とからなる。
【００１７】
前記ロックレバー２５，２５は、図１及び図１３〜１５に示すように、長辺側の側板１５，１６を切り抜いて受け部３１を突出部１５ａ，１６ａ側に突設することによって形成されている。即ち、側板１５、１６の側壁の一部をなすプレート３０の先端に短辺側の側板に装着されたロック解除部材の押圧用突部を受け入れる略コ字状受け部３１を内側に突出させ、前記受け部３１の上端部に係合片３３を設けてなる。前記係合片３３は、側板１３，１４の両側端面の係合部２７，２７と係合する。
【００１８】
前記プレート３０、受け部３１及び係合片３３からなるロックレバー２５，２５の外周縁は、側板１５，１６を切り抜いて形成した略同一形状の切抜孔３５内に配設されている。また、プレート３０には、側板１５，１６と連結している基部３４側に透孔３７が設けられている。従って、プレート３０の基部３４は、上下方向に撓むことが可能であってバネ作用を有する。
【００１９】
前記受け部３１は、プレート３０の先端内面に突出した略コ字状の凹部であって、側板と平行する方向における内側面と側板と直交方向における内側面とが開口しており、後述するロック解除部材２４の先端部に突設した押圧用突部が挿入される。前記受け部３１の上端部に設けた係合片３３には、湾曲面又はテーパー面とした案内摺動面３８が形成され、反対側には係合部２７，２７と係合する段部３９が形成されている。
【００２０】
前記突出部１５ａ，１６ａの内面には、受け部３１と係合片３３と対向する面にそれぞれ凹部４０，４１が形成されている。前記凹部４０は、受け部３１の逃がし代となるものであり、ロック解除部材２４の先端部に突設した押圧用突部の挿入を容易にする。また、凹部４１は、側板１３，１４の上枠両端部の係合部２７を受け入れるための逃がし代となるものである。従って、凹部４０及び凹部４１は、適宜省略することが可能である。
【００２１】
まず、側板１５、１６を立ち上げ、次に側板１３，１４を立ち上げて組み立てるときに、側板１３，１４の両側端面に設けた係合部２７，２７が案内摺動面３８に当接すると、案内摺動面３８上を摺動しながら徐々に係合片３３及び受け部３１を押し下げる。そして、係合部２７，２７が係合片３３を越えて案内摺動面３８の反対側の段部３９に達すると、プレート３０のバネ作用によって係合片３３は押し上げられて復帰する。このようにして、係合片３３と係合部２７とは係合してロック状態となる。
【００２２】
次に、一対の短辺側の側板１３，１４の両側端面に設けた係合部２７，２７の構成について説明する。係合部２７は、図２、図１０及び図１３に示すように、側板１３，１４の両側端の上部に切欠部４０、４０を設け、側板１３，１４の幅寸法よりも小さな幅寸法とすることによって形成されている。側板１３，１４の幅寸法を小さくしたのは、係合部２７を前記凹部４１に嵌合させたとき、側板１３，１４の外面と突出部１５ａ，１６ａの外面とが同一になるように厚さ寸法を調整したものである。
【００２３】
さらに、係合部２７の下面には、テーパー面による傾斜面４２が設けられている。前記係合部２７は、側板１５、１６に次いで側板１３，１４を立てて組み立てるときに、下面の傾斜面が受け部３１の上端部に設けた係合片３３の案内摺動面３８に当接する。傾斜面４２と案内摺動面３８とが当接すると、係合片３３は両傾斜面によってスムーズに押し下げられる。
【００２４】
次に、上記ロック状態を解除するロック解除部材２４について説明する。ロック解除部材２４は、図１及び図５〜図９に示すように、操作部５０の両端部に上記受け部３１に嵌入する押圧用突部５１を突設してなり、下面には付勢力を与えるバネ５２、５２を設けてなる。前記操作部５０は、表面板５０ａの上下に上板５０ｂと下板５０ｃを設けて断面略コ字状に形成してなり、表面板５０ａ略中央部を凹ませて指掛け用凹部５３を形成してなる。前記バネ５２，５２は、略逆ハの字状であって、操作部５０の両端部と指掛け用凹部５３との中間部に設けられている。
【００２５】
また、操作部５０には、前記指掛け用凹部５３の両側に近接して係止部５５、５５を設け、両端近傍の裏面には係止用突起５７、５７を突設してなる。前記係止部５５、５５は、図８及び図１１に示すように、前記表面板５０ａに長孔５０ｄを設け、前記長孔５０ｄの幅よりも狭い断面Ｕ状の支柱６０を上板５０ｂと下板５０ｃとの間に立設することによって形成されている。前記断面Ｕ状の支柱６０の開口側に短辺側の側板１３、１４の対応する位置に設けた係止用突起６１が係止する。一方、係止用突起５７は、図６、図９及び図１２に示すように、前記表面板５０ａに長孔５０ｅを設け、前記長孔５０ｅの両側から内側に矢尻状突起６３を設け、前記矢尻状突起６３の上下における上板５０ｂと下板５０ｃとを切り欠くことによって形成されている。前記矢尻状突起６３が、短辺側の側板１３、１４の対応する位置に設けた係止部６５に係止する。
【００２６】
短辺側の側板１３、１４には、前記係止部５５、５５と係止用突起５７、５７と逆の関係となる係止用突起６１と係止部６５が形成されている。即ち、図２及び図３に示すように、側板１３、１４のロック解除部材２４が嵌合する部分は凹んで凹部７０とされており、係止用突起６１は、側板１３、１４の取っ手孔２１の上方に長孔６１ａを設け、前記長孔６１ａの両側から外側に矢尻状突起６７を突設することによって形成されている。また、係止部６５は、側板１３、１４の一部を外側に突出させ、前記突出した側板に内向きの平行な係止片６９、６９を設け、前記平行な係止片６９、６９の両側に長孔６５ａ、６５ａを穿設することによって形成されている。
【００２７】
ロック解除部材２４と側板１３，１４とは上記のように構成されているから、短辺側の側板１３、１４の外側から操作部５０を突き合わせてそのまま押圧すると、操作部５０の係止部５５、５５に短辺側の側板１３、１４の係止用突起６１、６１が係合し（図１１参照）、短辺側の側板１３、１４の係合部６５、６５に操作部５０の係止用突起５７、５７が係合する（図１２参照）。即ち、図１１及び図１２に示すように、係止用突起６１、６１が長孔５０ｄ、５０ｄから挿入されて断面Ｕ状の支柱６０の開口側に係合し、一方、係止用突起６３、６３が長孔６５ａ、６５ａから挿入されて係止片６９、６９に係合する。
【００２８】
この発明の上記実施形態では、上記構成のロック解除部材２４を側板１３，１４の凹部７０に装着するには、ロック解除部材２４を凹部７０に押し当ててそのまま押圧すればよいから、ワンタッチで装着することができる。したがって、ロック解除部材２４の損傷や変形を防止することができるとともに、機械による自動組立が可能である。操作部５０と短辺側の側板１３、１４とは、上記の通り、係止部５５と係止用突起６１及び係止用突起５７と係止部６５との係合によって外れることがなく、上下方向にスムーズな摺動が可能である。
【００２９】
上記構成において、係止部５５と係止用突起６１とが摺動する隙間は、係止用突起５７と係止部６５とが摺動する隙間よりも小さく形成するのが好ましい。例えば、係止部５５と係止用突起６１との隙間を係止用突起５７と係止部６５との隙間よりも０．５〜２．０ｍｍ程度小さく形成するのが好ましい。指掛け用凹部５３を操作部５０の略中央部に設けたから、操作部５０が上下動する際には、両端部の傾きが中央部よりも大きくなるので、両端部における係止用突起５７と係止部６５との隙間を係止部５５と係止用突起６１との隙間よりも大きくすることによって抵抗が小さくなり、スムーズに上下動することができる。
【００３０】
従来技術として知られているような、例えば特開２００３−４０２６３号公報に記載の容器において、長四角孔状の長孔に係合部材の係合突起を挿入するには、まず一方側の係合突起を長孔に挿入した後、他方側の係合突起を反対側にずらしながら挿入するか、係合部材を湾曲させて両方の係合突起を長孔に同時に挿入するしかなかった。片方を挿入した後、ずらして他方を挿入する前者の例では、係合部材に横方向のガタが生じることになり好ましくない。また、湾曲させて両端の係合突起を同時に挿入する後者の例では、装着作業が困難である。
【００３１】
次に、図１３〜図１５を参照しながらロック部２３の作用について説明する。容器を組み立てる場合は、まず、対向する長辺側の側板１５，１６を起立させ、次いで、短辺側の側板１３，１４を起立させる。側板１３，１４の上端部（ロック解除部材２４の装着側）を持って引き上げると、下端の回動軸１８を中心に回動し側板１５，１６の内面に円弧を描きながら立ち上げられる（図１３参照）。
【００３２】
側板１３，１４の上端が側板１５，１６の突出部１５ａ，１６ａに接近すると、係合部２７が係合片３３の案内摺動面３８に対向した状態で当接する。さらに、側板１３，１４を回動させると、係合片３３はプレート３０のバネ作用によって下方に押し下げられる。このとき、係合部２７の下面には傾斜面４２が形成されているので、係合片３３をスムーズに押し下げることができる。
【００３３】
そして、係合部２７が、案内摺動面３８を越えて反対側に位置すると、プレート３０のバネ作用によって係合片３３は押し上げられるから、係合部２７が段部３９に係合する。また、ロック解除部材２４の押圧用突部５１が、受け部３１に内側の解放側から挿入される。このとき、係合部２７の一部が突出部１５ａ，１６ａに形成された凹部４１内に挿入され、側板１３，１４の両端部が突出部１５ａ，１６ａの内面に接合し、側板１３，１４の外面と突出部１５ａ，１６ａの外面とは同一面となる（図１５参照）。このようにして、長辺側の側板１５，１６を起立させ、次いで、短辺側の側板１３，１４を起立させるだけで、簡単にワンタッチで組み立てることができる。
【００３４】
次に、組立状態からロック状態を解除して折り畳む場合には、係合片３３を押し下げて係合部２７と段部３９との係合状態を解除すればよい。係合部２７と係合片３３との係合状態を解除するには、ロック解除部材２４の指掛け用凹部５３に指を入れてバネ５２に抗して下方に押し下げれば、同時に押圧用突部５１も押し下げられるので、押圧用突部５１によって受け部３１も押し下げられることになる。受け部３１が押し下げられれば、上部に一体に形成されている係合片３３も下降することになり、係合部２７との係合状態は解除されることになる。
【００３５】
係合部２７と段部３９との係合状態が解除されれば、組み立てるときとは反対に側板１３，１４を内側に倒すことが可能となる。受け部３１を押し下げている押圧用突部５１は、側板１３，１４を倒しながら、受け部３１の内側の開口から引き出すことができる。受け部３１から押圧用突部５１が引き出されると、受け部３１は上方に復帰することになるが、係合部２７は係合片３３の上面を越えているので側板１３，１４を倒すことが可能となる。
【００３６】
押圧用突部５１が受け部３１を押し下げたまま側板１３，１４は回動しながら倒れるので、上端の係合部２７が係合片３３の上面を越えることが可能である。したがって、ロック解除部材２４を押し下げながら倒すだけでロック状態を解除して折り畳むことができる。側板１３，１４を倒す途中でロック解除部材２４の指掛け用凹部５３から指を離して押し下げを止めれば、バネ５２の付勢によってロック解除部材２４は元の位置に復帰する。
【００３７】
尚、受け部３１を押し下げてロック状態を解除するロック解除部材における係止部と係止用突起との関係は、上記実施形態に限定されるものではない。例えば、係止部５５と係止用突起６１及び係止用突起５７と係止部６５とはそれぞれ反対に設けたり、ロック解除部材側に係止部または係止用突起を設け、側板１３，１４側に係止用突起または係止部を設ける構成としてもよい。即ち、ロック解除部材には係止部と係止用突起とを設けてもよいが、いずれか一方のみを設け、側板１３，１４側に対応する係止用突起または係止部を設けてもよい。
【図面の簡単な説明】
【００３８】
【図１】組立状態の容器を示す短辺側側板の左半分が正面図、右半分が長辺側側板の一部を省略した断面図である。
【図２】ロック解除部材を装着する前の短辺側の側板の左半分が正面図、右半分が背面図である。
【図３】図２におけるＡ−Ａ断面図である。
【図４】図２におけるＢ−Ｂ断面図である。
【図５】ロック解除部材の右半分が正面図、左半分が背面図である。
【図６】同じくロック解除部材の平面図である。
【図７】図５におけるＣ−Ｃ断面図である。
【図８】図５におけるＤ−Ｄ断面図である。
【図９】図５におけるＥ−Ｅ断面図である。
【図１０】短辺側側板にロック解除部材を取り付けた状態を示す要部拡大断面図である。
【図１１】短辺側側板とロック解除部材の係合状態を示す要部断面斜視図である。
【図１２】同じく、短辺側側板とロック解除部材の係合状態を示す要部断面斜視図である。
【図１３】短辺側の側板と長辺側の側板の組み立て状態を説明するための要部斜視図である。
【図１４】ロック部の動作を示し、短辺側の側板が立ち上がる状態の説明用断面図である。
【図１５】ロック部の動作を示し、ロック状態の説明用断面図である。
【符号の説明】
【００３９】
１０：組立式合成樹脂製容器
１１：底板  
１３、１４：短辺側の側板  
１５、１６：長辺側の側板
５ａ，１６ａ：突出部  
２１：取っ手孔
２３：ロック部  
２４：ロック解除部材  
２５：ロックレバー
２７：係合部  
３０：プレート  
３１：略コ字状受け部
３３：係合片  
３４：基部  
３５：切抜孔  
３７：透孔
３８：案内摺動面  
３９：段部  
４０：切欠部
５０：操作部  
５１：押圧用凸部  
５２：バネ  
５３：指掛け用凹部
５５：係止部  
５７：係止用突起  
６０：断面Ｕ状の支柱
６１：係止用突起  
６３：矢尻状突起  
６５：係止部  
６７：矢尻状突起
【図１】
2006096401.tif 000003
【図２】
2006096401.tif 000004
【図３】
2006096401.tif 000005
【図４】
2006096401.tif 000006
【図５】
2006096401.tif 000007
【図６】
2006096401.tif 000008
【図７】
2006096401.tif 000009
【図８】
2006096401.tif 000010
【図９】
2006096401.tif 000011
【図１０】
2006096401.tif 000012
【図１１】
2006096401.tif 000013
【図１２】
2006096401.tif 000014
【図１３】
2006096401.tif 000015
【図１４】
2006096401.tif 000016
【図１５】
2006096401.tif 000017